(57)【要約】【課題】  浴室での使用に好適な浴室専用の窓を提供する。【解決手段】枠体２と、この枠体２の開口に合致する大きさの窓本体３とが、それぞれの両側部間に設けられたリンク機構４を介して連結されて枠体２に対して窓本体３が開閉可能となされた浴室専用の窓であって、窓本体３が枠体２の浴室面側にせりだして枠体２に対して斜め下方向に傾いた状態で開くようになされたリンク機構４が用いられた浴室用窓１である。また、窓本体３の縦枠３１の上下に、縦枠３１上部から延設された操作バー３５の操作によって出没可能となされた係止片３４が設けられ、この係止片３４が枠体２の上枠および下枠に係止および係止離脱することによって開閉するようになされた浴室用窓１である。さらに、枠体２の屋外面側に面格子５が設けられてなる浴室用窓１である。【選択図】  図１
2005082964.tif 000002
【特許請求の範囲】
【請求項１】
枠体と、この枠体の開口に合致する大きさの窓本体とが、それぞれの両側部間に設けられたリンク機構を介して連結されて枠体に対して窓本体が開閉可能となされた浴室専用の窓であって、
窓本体が枠体の浴室面側にせりだして枠体に対して斜め下方向に傾いた状態で開くようになされたリンク機構が用いられたことを特徴とする浴室用窓。
【請求項２】
窓本体の縦枠の上下に、縦枠上部から延設された操作バーの操作によって出没可能となされた係止片が設けられ、この係止片が枠体の上枠および下枠に係止および係止離脱することによって開閉するようになされた請求項１記載の浴室用窓。
【請求項３】
枠体の屋外面側に面格子が設けられてなる請求項１または２記載の浴室用窓。
【発明の詳細な説明】
【技術分野】
【０００１】
本発明は、住宅建物の浴室に設けられる浴室専用の窓に関する。
【背景技術】
【０００２】
一般に、住宅建物の居室に使用されている窓としては、引き違い窓、内倒し窓、ガラスルーバー、スイング（縦すべり出し）窓、オーニング（すべり出し）窓、突き出し窓、上げ下げ窓、縦開き窓、平行突き出し窓などの各種のものが知られている。
【０００３】
従来より、住宅建物の浴室に設けられる窓としては、これら居室に使用されている窓と同じものが使用されていた。
【発明の開示】
【発明が解決しようとする課題】
【０００４】
しかし、浴室の場合、使用時間が限られている、湿気が多い、裸で使用するなど、通常の居室と異なる使用環境であるため、上記従来の窓をそのまま転用しただけでは、不都合を生じることとなる。
【０００５】
すなわち、引き違い窓の場合、曇りガラスなどを使用したとしても、窓自体を開けると浴室内が見通されることとなるため、プライバシーを確保するためには、別途ブラインドなどを設けなければならない。また、このような窓は浴室内の浴槽に面した壁面に設けられることが多いため、浴槽から開閉するためには下方から開閉しやすくなければならず、洗い場から開閉するためには横方から開閉しやすくなければならないが、引き違い窓の場合、窓の中央部に鍵が設けられているのでこの窓の中央まで手を延ばして施錠を解除しなければ窓を開けることができない。
【０００６】
内倒し窓の場合、開けても窓の上方しか開口しないので充分な換気量を確保することができない。また、プライバシーを確保するためのブラインドなどを設けることができない。
【０００７】
ガラスルーバーの場合、充分な断熱性、防火性を確保することができない。
【０００８】
スイング（縦すべり出し）窓、オーニング（すべり出し）窓、突き出し窓、平行突き出し窓、縦開き窓などの場合、外部にガラス窓が飛び出すため、網戸を室外側に設けたり、面格子を設けたりすることができない。
【０００９】
上げ下げ窓の場合、開けると浴室内が見通されることとなるため、プライバシーを確保するためには、別途ブラインドなどを設けなければならない。また、上げ下げするため、下方からの開閉が容易に行うことができない。さらに、開閉力を補助するために、鋼製の金具が用いられている場合がほとんどのため、浴室で使用すると錆びて充分な耐久性が得られないこととなる。
【００１０】
表１は、これら従来の各種窓を浴室に使用した場合の評価を示している。表１において、○は適切、△は可、×は不適を示している。
【００１１】
【表１】
2005082964.tif 000003
本発明は、係る実情に鑑みてなされたものであって、浴室での使用に好適な浴室専用の窓を提供することを目的としている。
【課題を解決するための手段】
【００１２】
上記課題を解決するための本発明の浴室用窓は、枠体と、この枠体の開口に合致する大きさの窓本体とが、それぞれの両側部間に設けられたリンク機構を介して連結されて枠体に対して窓本体が開閉可能となされた浴室専用の窓であって、窓本体が枠体の浴室面側にせりだして枠体に対して斜め下方向に傾いた状態で開くようになされたリンク機構が用いられたものである。
【００１３】
また、この浴室用窓において、窓本体の縦枠の上下に、縦枠上部から延設された操作バーの操作によって出没可能となされた係止片が設けられ、この係止片が枠体の上枠および下枠に係止および係止離脱することによって開閉するようになされたものである。
【００１４】
さらに、この浴室用窓において、枠体の屋外面側に面格子が設けられてなるものである。
【発明の効果】
【００１５】
以上述べたように、本発明によれば、窓本体が枠体の浴室面側にせりだして枠体に対して斜め下方向に傾いた状態で開くようになされたリンク機構を用いているので、枠体の周辺全体が開口することとなり、優れた換気量を確保できるとともに、浴室内からも窓の外側を容易に拭くことができ優れたメインテナンス性が得られる。
【００１６】
また、枠体の周辺しか開口せず、しかも枠体面に対して斜め下方向に傾いた状態で開くので、浴室内部を覗かれることもなく、プライバシーを確保することができる。
【００１７】
また、窓本体は、枠体面から浴室内側にせりだして開くので、枠体に面格子を設けて防犯性を確保することができる。また、窓本体の下部はせりだしが少ないので入浴者が頭をぶつけることも無く安全である。
【発明を実施するための最良の形態】
【００１８】
以下、本発明の実施の形態を図面を参照して説明する。
【００１９】
図１は浴室用窓１の全体構成の概略を示し、図２は同浴室用窓１の使用状態を示し、図３は同浴室用窓１の開閉状態を示している。
【００２０】
すなわち、この浴室用窓１は、枠体２と、窓本体３とがリンク機構４を介して連結されて枠体２に対して窓本体３が開閉可能となされた浴室専用の窓であって、窓本体３が枠体２から浴室１０内側にせりだして枠体２が設けられた壁面１１に対して斜め下方向に傾いた状態で開くようになされたリンク機構４が用いられたものである。
【００２１】
この浴室用窓１は、図２に示すように、浴室１０内の浴槽１２と洗い場１３のうち、浴槽１２の上部に位置するように、浴室１０内の壁面１１の浴槽１２に面した左側寄りに設けられている。
【００２２】
枠体２は、通常の居室に使用されるものと同様、各種大きさのものを使用することができる。ただし、この浴室用窓１は、窓本体３が枠体２から浴室１０内側にせりだして枠体２面に対して斜め下方向に傾いた状態で開くため、あまり大き過ぎると、せりだした窓本体３が浴室１０内の人と緩衝してしまうこととなる。したがって、通常の腰窓程度の高さが好ましい。特に、浴室１０に好適なサイズとしては、幅６７０ｍｍ、高さ８５０ｍｍ程度のものが使用される。
【００２３】
窓本体３は、この枠体２の浴室１０面側の開口に合致する大きさとなされ、ガラス面が形板ガラス（一般的には曇りガラスということが多い）などの透視不可能となされたものが使用される。この窓本体３の浴室１０側から見て右側の右縦枠３１の内部には上枠３２の上方および下枠３３の下方にそれぞれ突出する棒状の係止片３４が内装されている。この係止片３４は、この右縦枠３１の浴室１０側の上部にから延設された操作バー３５を回転させることによって上枠３２および下枠３３からそれぞれ出没するようになされている。枠体２は、この枠体２内に窓本体３が納まって閉じられた状態で、係止片３４の出没位置に凹部２１が形成されている。窓本体３は、枠体２に対して閉じられた状態で、係止片３４が枠体２の凹部２０に嵌まり込むことによって、ロックできるようになされている。このロックを解除する場合は、操作バー３５を回転させて凹部２０に嵌まり込んでいた係止片３４を後退させればよい。その後、窓本体３を開ける場合は、この係止片３４を後退させた状態で操作バー３５を浴室１０側に引けばよい。右縦枠３１の中央部には、この操作バー３５を保持するフック３６が設けられている。なお、本実施の形態では、右縦枠３１に、係止片３４、操作バー３５、フック３６などを設けているが、浴室用窓１を設けた壁面１１と対向する壁面１４に浴室用窓１を取り付けるような場合には、左縦枠３７に、これら係止片３４、操作バー３５、フック３６などを設けるものであってもよい。
【００２４】
リンク機構４は、枠体２の浴室１０面側の開口内の両側部と、窓本体３の外周面の両側部との間に、それぞれ設けられる。このリンク機構４は、図１および図３に示すように、上リンク４１、連結リンク４２、下リンク４３の三本から構成されている。
【００２５】
上リンク４１は、一端が枠体２側の中央部に連結され、他端が窓本体３側の上部に連結される。このうち、他端側は、窓本体３側の上部に形成された長孔３１内をスライドするようになされており、枠体２に対して窓本体３が開いた状態で長孔３１の下部に位置し、枠体２に対して窓本体３が閉じた状態で長孔３１の上部に位置して枠体２と窓本体３との間隙に納まるようになされている。
【００２６】
連結リンク４２は、一端が窓本体３側の下部から若干上がった位置に連結され、他端が上リンク４１の一端寄りに連結される。このうち、他端側は、上リンク４１の一端寄りに形成された長孔４０内をスライドするようになされており、枠体２に対して窓本体３が開いた状態で長孔３１の下部に位置し、枠体２に対して窓本体３が閉じた状態で長孔３１の上部に位置して枠体２と窓本体３との間隙に納まるようになされている。
【００２７】
下リンク４２は、一端が枠体２側の下部に連結され、他端が連結リンク４３の中央部に連結されている。
【００２８】
このリンク機構４により、窓本体３は、枠体２から浴室１０内側にせりだして枠体２が設けられた壁面１１に対して斜め下方向に傾いた状態で開くこととなる。この際、窓本体３の下側のせりだしは１５ｃｍ程度、上側のせりだしは２５ｃｍ程度とされ枠体２が設けられた壁面１１に対して窓本体３は、斜め下方向に約１５度程度傾いた状態で開くように設定される。このせりだしが大き過ぎると、浴室１０側にせりだした窓本体３が邪魔になり、浴室１０内の人と緩衝してしまうことが懸念される。また、せりだしが小さ過ぎると、この浴室用窓１を取り付けた壁面１１の厚みが厚い場合や、浴室１０側からセットバックさせて壁面１１に浴室用窓１を取り付けたような場合に、窓本体３を充分に開口させることができなくなってしまう。
【００２９】
この浴室用窓１によると、浴室用窓１の開閉は、洗い場１３に近い右縦枠３１側に操作バー３５を設けているので、洗い場１３側から容易に行うことができるとともに、浴槽１２中からも行うことができる。また、操作バー３５は、右縦枠３１または左縦枠３７に設けられるので、上枠３２にブラインドなどを設けることもできる。
【００３０】
また、窓本体３は、枠体２に対して浴室１０内側にせりだすので、枠体２の屋外側には面格子５を取り付けることが可能となり、防犯性の向上を図ることができることとなる。また、面格子５以外にも網戸６などを設けることが可能となり、浴室１０内での快適性の向上を図ることができる。
【００３１】
また、窓本体３が全開した状態であっても枠体２の周囲に開口するだけで、しかも斜め下方向に傾斜した状態で開くため、浴室１０内の覗き見されることもなく、プライバシーを確保することができる。
【００３２】
さらに、窓本体３は、ヒンジなどによって一挙に開閉する内倒し窓のような不安定感も無く、リンク機構４によって滑らかに開閉させることができる。また、リンク機構４は、平行突き出し式と異なり、円弧状の回転運動の開閉のなかで各リンクに無理が少なくスムーズに開閉させることができるので、アルミやステンレスなどの素材のものであっても充分な耐久性を確保することができる。
【００３３】
さらに、浴室用窓１は、開いた状態で枠体２の周囲に開口するため、充分な風の流れが形成されることとなり、換気量を多く確保できるとともに、浴室用窓１自体の乾燥も素早く行うことができる。また、この開口した周囲から窓本体３の屋外面側にも手が届くので、容易に掃除を行うことができる。
【００３４】
なお、本実施の形態では、リンク機構４は、上リンク４１、連結リンク４２、下リンク４３の３本によって形成されたものを、枠体２の両側部と窓本体３の両側部との間にそれぞれ設けているが、このリンク機構４としては、図４に示すように、Ｘ字状に交差する一対のリンク４４、４５によって形成されたものを、枠体２の両側部と窓本体３の両側部との間にそれぞれ設けたものであってもよい。図４において、他の図面と同部材には同符号を付して説明を省略する。
【産業上の利用可能性】
【００３５】
住宅建物の浴室の窓に適用できる。
【図面の簡単な説明】
【００３６】
【図１】本発明に係る浴室用窓の全体構成の概略を示す斜視図である。
【図２】（ａ）は本発明に係る浴室用窓の浴室での使用状態を示す斜視図、（ｂ）は同間取り図である。
【図３】（ａ）ないし（ｃ）は浴室用窓の開閉状態を説明する断面図である。
【図４】（ａ）は浴室用窓の他の実施の形態を示す斜視図、（ｂ）は同断面図である。
【符号の説明】
【００３７】
１  浴室用窓
１０  浴室
２  枠体
３  窓本体
３４  係止片
３５  操作バー
４  リンク機構
５  面格子
【図１】
2005082964.tif 000004
【図２】
2005082964.tif 000005
【図３】
2005082964.tif 000006
【図４】
2005082964.tif 000007